(57)【要約】      （修正有）【課題】残尿処理袋において、袋を携帯する煩わしさ、排尿のたびに袋を開閉操作して男性器を出し入れする面倒を無くす。【解決手段】２枚の吸収性素材のシート体１１、１２の外縁同士を、開口１３を残して貼り合わせ、この開口１３を通じて、男性器を内部に収納し、排尿後の男性器から漏出する残尿を吸収する残尿処理袋１０を形成する。この残尿処理袋１０の一方シート体１１は、男性用パンツの前面に形成された男性器の出入口の一側内面に貼り付けられ、他方シート体１２には延出部１２ａが設けられて、この延出部１２ａが出入口を跨いでパンツの他側に貼り付けられる。パンツの出入口を開けると、これに連動して、残尿処理袋１０の開口１３が自動的に開くため、開閉の手間がいらない。また、パンツに貼り付けて使用するので携帯する必要もない。【選択図】図１
0003136835.tif 000002
【実用新案登録請求の範囲】
【請求項１】
２枚の吸収性素材のシート体１１、１２の外縁同士を、開口１３を残して貼り合わせることで平袋状に形成し、この開口１３を通じて、男性器を内部に収納し、排尿後の男性器から漏出する残尿を吸収する残尿処理袋１０であって、
前記２枚のシート体１１、１２のうち、一方シート体１１は、男性用パンツ２０の前面に形成された男性器の出入口２３の一側の内面に貼り付けられ、他方シート体１２には延出部１２ａが設けられて、この延出部１２ａが前記出入口２３を跨いで、出入口２３の他側に貼り付けられたことを特徴とする残尿処理袋。
【請求項２】
上記開口１３周縁にギャザー部１３ａを形成した請求項１に記載の残尿処理袋。
【請求項３】
上記２枚のシート体１１、１２は、ほぼ相似形方形であり、開口１３はその一角隅部に形成され、上記他方シート体１２の延出部１２ａはこの開口１３をなす角隅部に設けられた請求項１または２に記載の残尿処理袋。
【請求項４】
上記各シート体１１、１２の内面に不織布を積層し、シート体１１、１２の外面に防水フィルムを積層した請求項１から３のいずれかに記載の残尿処理袋。
【請求項５】
上記一方シート体１１の外面と、上記他方シート体１２の延出部１２ａには、それぞれ両面粘着テープが貼り合わせられて粘着部１１ａ、１２ａを形成し、この粘着部１１ａ、１２ａによって両シート体１１、１２はパンツ２０に着脱可能に貼り付けられる請求項１から４のいずれかに記載の残尿処理袋。
【請求項６】
上記男性用パンツ２０は、その男性器の出入口２３において生地が重なり合う表布２２と裏布２１の２層構造をなし、上記一方シート体１１は表布２２側の内面に貼り付けられ、上記他方シート体１２は裏布２１側の外面に貼り付けられる請求項１から５のいずれかに記載の残尿処理袋。
【考案の詳細な説明】
【技術分野】
【０００１】
この考案は、排尿後の男性器を収納し、男性器から漏れ出す残尿を吸収するための残尿処理袋に関する。
【背景技術】
【０００２】
一般に男性は加齢に伴い、前立腺が肥大するなどして、尿道が圧迫され、これにより尿道に残留する尿の量が増えることが知られている。
このような残尿の量が増えると、排尿して一定時間経過後に、不意に大量の尿が男性器から漏れ出し、衣類を汚してしまうことがよくある。
【０００３】
そこで、開閉可能な開口を通じて男性器を収納し、男性器から漏れ出す残尿を吸収する残尿処理袋が考案されている（特許文献１および２参照）。
このような残尿処理袋は、女性の生理用品と同様の吸収性素材（たとえば吸収シート）により形成されており、排尿後にこの袋に男性器を収納しておくと、残尿が漏れ出しても袋の素材が吸収するため、衣類を汚す心配がない。
【０００４】
しかし、このような残尿処理袋をかばん等に入れて携帯するとなると煩わしく、他方、常時男性器に被せておき、排尿のたびに、袋をつかみ開口を開いて男性器からはずし、開口を閉じて手に持つかポケットに入れるかし、排尿後は開口を開いてふたたび袋を男性器に被せるという、一連の袋の開閉動作を繰り返すのは面倒であった。
【特許文献１】登録実用新案第３０８７１００号公報
【特許文献２】登録実用新案第３０８９０７０号公報
【考案の開示】
【考案が解決しようとする課題】
【０００５】
そこで、この考案は、残尿処理袋において、袋を携帯する煩わしさ、排尿のたびに袋を開閉操作して男性器を出し入れする面倒を無くすことを課題とする。
【課題を解決するための手段】
【０００６】
上記課題を解決するため、２枚の吸収性素材のシート体の外縁同士を、開口を残して貼り合わせることで平袋状に形成し、この開口を通じて、男性器を内部に収納し、排尿後の男性器から漏出する残尿を吸収する考案にかかる残尿処理袋においては、前記２枚のシート体のうち、一方シート体を、男性用パンツの前面に形成された男性器の出入口の一側の内面に貼り付け、他方シート体には延出部を設け、この延出部を、パンツの出入口を跨いで、出入口の他側に貼り付ける構成を採用したのである。
【０００７】
このように、残尿処理袋を、パンツに貼り付けて用いることとしたので、従来のようなかばん等に入れて携帯する煩わしさがない。
また、男性器の出入口を開くときは、出入口近辺のパンツの生地を互いに離反する方向、すなわち一側をパンツの前側に、他側をパンツの後側に引っ張るが、これに連動して、残尿処理袋の、一方シート体と他方シート体が離反する方向、すなわち一方シート体はパンツの前側に、他方シート体はパンツの後側に引っ張られることで、その開口が自動的に開く。
また、パンツの生地の引っ張りをやめて出入口を閉じると、残尿処理袋の開口も連動して閉じる。
このように、パンツの男性器の出入口の開閉に連動して、残尿処理袋の開口が自動的に開閉するため、男性器の出し入れが楽である。
【０００８】
さらに、開口周縁のシート体を縫い縮めるなどして、開口周縁にギャザー部を形成すると、このギャザー部のひだが干渉しあって、開口が開きやすくなる。
また、男性器を袋から出し入れする祭には、開口部分でこのひだに案内されるため、出し入れがスムーズに行うことができる。
【０００９】
さらに、２枚のシート体は、延出部を除いて相似形方形であり、開口はその１角隅部に形成され、上記他方シート体の延出部はこの開口部をなす角隅部に設けられると、離反する方向への引っ張り力が開口近辺に集中するため、開口の開閉がよりスムーズになる。
【００１０】
さらに各シート体の内面に不織布を積層すると、吸収材が直接肌に触れる場合に比べて装着感がよく、また各シート体の外面に防水フィルムを積層すると残尿処理袋からの尿の漏れ出しが防がれる。
【００１１】
さらに一方シート体の外面と、他方シート体の延出部には、それぞれ両面粘着テープが貼り合わせられて粘着部を構成し、この粘着部によって両シート体はパンツ内面に貼り付けられるようにすると、残尿処理袋をパンツに着脱可能とすることが容易にかつ安価に実現できる。
【００１２】
男性用パンツが、その男性器の出入口において生地が重なりあう表布と裏布の２層構造をなしているものについては、残尿処理袋の一方シート体は表布側の内面に貼り付けられ、他方シート体は裏布側の外面に貼り付けるのが好ましい。
【考案の効果】
【００１３】
残尿処理袋を、パンツに貼り付け可能にしたので、携帯の煩わしさが解消され、さらにパンツの男性器出入口の開閉に連動して、残尿処理袋の開口を自動的に開閉するように形成したので、男性器の出し入れが容易になる。
【考案を実施するための最良の形態】
【００１４】
図１に示す実施形態の残尿処理袋１０は、男性用パンツ２０内面に貼り付けられて、排尿後に男性器を収納し、男性器から漏れ出す残尿を吸収するために用いられる。
図１（ａ）のように、残尿処理袋１０は、２枚の方形のシート体１１、１２から構成され、この相似形のシート体１１、１２は、図１（ｂ）および（ｃ）のように、シート状に形成された生理用品等に用いられる周知の吸収シートＬ１の一面に不織布Ｌ２を、他面に防水フィルムＬ３を、それぞれ貼り合わせることで作製されている。
【００１５】
ここで、防水フィルムＬ３は、吸収シートＬ１よりもやや大きいため、２枚のシート体１１、１２は、不織布Ｌ２側を内側に防水フィルムＬ３側を外側にして重ね合わせると、その外縁で余った防水フィルムＬ３同士が重なり合う。
図１（ａ）のように、この重なり合う防水フィルムＬ３の外縁同士を融着させることで、２枚のシート体１１、１２は、平袋状の残尿処理袋１０に形成される。
また図示のように、シート体１１、１２同士の融着は、４つの角隅部のうち、１つの角隅部近辺を余らせてなされており、それゆえ、この１の角隅部には、男性器の袋への出し入れに十分な大きさの開口１３が形成されている。
さらに、開口１３の周縁の各シート体１１、１２は、縫い縮められてギャザー部１３ａを形成している。
【００１６】
さらに、図示のように、一方シート体１１の外面には、シート体１１の長手方向に延びる二条の両面粘着テープが貼り合わせられることで、粘着部１１ａを構成している。
また、前記開口１３に対応する他方シート体１２の角隅部には、その一側方向に延出する延出部１２ａが設けられており、この延出部１２ａの外面にも、同様に両面粘着テープが貼り合わせられることで粘着延出部１２ａとなっている。
【００１７】
図２および図３に、この残尿処理袋１０を周知のトランクス型男性用パンツ２０の内面に貼り付けた状態を示す。
図示のように、男性用パンツ２０の前面中央部には、男性器の出入口２３が設けられており、この出入口２３近辺において、パンツ２０の生地は重なり合う裏布２１と表布２２の２層構造となっており、裏布２１に縫い付けられたボタン２１ａおよび表布２２に形成されたボタン孔により、この裏布２１と表布２２とは着脱可能となっている。
常態では、この出入口２３は、裏布２１と表布２２とが重なり合うことで閉じており、ボタン２１ａをはずしてこれら裏布２１と表布２２とを離反する方向（たとえば、表布２２はパンツ２０の前側、裏布２１はパンツ２０の後側）に引っ張ることで出入口２３が開くようになっている。
【００１８】
図２および図３のように、実施形態の残尿処理袋１０は、その一方シート体１１が、パンツ２０の出入口２３の傍らの内面であって、表布２２に近い一側に粘着部１１ａをもって貼り付けられ、その他方シート体１２の粘着延出部１２ａが、出入口２３を跨いで出入口２３他側の裏布２１の外面に貼り付けられている。
このように残尿処理袋１０は、パンツ２０に貼り付けて用いるため、かばんやポケットに入れて携帯する必要がなく、便利である。
また、この貼り付けは、粘着部１１ａ、１２ａの粘着テープによる貼り付けであるから、袋１０が不要なときは、パンツ２０から容易に取り外すことができる。
【００１９】
次に、図４を参照して、残尿処理袋１０の使用方法について説明する。
まず上記のように残尿処理袋１０を取り付けたパンツ２０を履き、図４（ａ）、（ｂ）のように、残尿処理袋１０の開口１３を開いて男性器Ｐを中に収納しておく。
ここで、残尿処理袋１０の内面は、不織布Ｌ２となっており吸収シートＬ１が直接肌には触れないため、ゴワゴワせず装着感がよい。
【００２０】
そして、図４（ｃ）のように、排尿する際には、パンツ２０のボタン２１ａを外して裏布２１と表布２２とを離反する方向（裏布２１を後側、表布２２を前側）に引っ張って、パンツ２０の出入口２３を開くと、パンツ２０内面の表布２２側に貼り付けられた一方シート体１１と、出入口２３を跨いで延出部１２ａが裏布２１側に貼り付けられた他方シート体１２とは、離反する方向（一方シート体１１はパンツ２０の前側、他方シート体１２はパンツ２０の後側）に引っ張られるため、残尿処理袋１０の開口１３も連動して開く。
このように残尿処理袋１０の開口１３も自動的に開くので、男性器Ｐを残尿処理袋１０から取り出し、パンツ２０の出入口２３を通して外に出し、排尿するのが容易となる。
ここで開口１３には、ギャザー部１３ａが形成されているため、その一方シート体１１のひだと、他方シート体１２のひだが干渉して、一層開口１３が開きやすくなっている。
【００２１】
また、排尿途中では、開口１３を広げる必要がないので、男性器Ｐを挟んだままで出入口２３を閉じると、残尿処理袋１０の開口１３も連動して閉じる。
もちろん、開口１３を開けたままでもよい。
【００２２】
さらに、排尿後にも、男性器Ｐをパンツ２０の中にしまうために、裏布２１と表布２２とを離反する方向に引っ張り、パンツ２０の出入口２３を再び開くと、再び一方シート体１１と、他方シート体１２とは、離反する方向に引っ張られ、結果、その開口１３も連動して開く。
このように開口１３が自動的に開くので、男性器Ｐを出入口２３を通してパンツ２０の中にしまい、さらに残尿処理袋１０に収納するのが容易となる。
このとき、さらにギャザー部１３ａのひだにより、男性器Ｐが開口１３から処理袋１０内にスムーズに案内されるため、収納が一層容易である。
この収納後に、残尿が男性器Ｐから漏れ出ても、残尿処理袋１０の内面の不織布シートＬ２を通過して吸収シートＬ１に吸収され、また吸収シートＬ１外への染み出しを防水フィルムＬ３が防ぐため、衣類を汚す心配がない。
【００２３】
このように、パンツ２０の男性器出入口２３の開閉に連動して、残尿処理袋１０の開口１３を自動的に開閉するように形成されているので、残尿処理袋１０からの男性器Ｐの出し入れが非常に簡単である。
【００２４】
なお実施形態では、残尿処理袋１０を粘着テープでパンツ２０に取り付けているが、雌雄一対の面ファスナーやスナップボタンを、残尿処理袋１０とパンツ２０の内面のそれぞれに取り付けることで、残尿処理袋１０とパンツ２０とを着脱可能に形成してもよい。
また、残尿処理袋１０を取り付けるパンツ２０の種類は、男性器の出入口２３があるならば、特に限定されず、たとえばブリーフ型、ボクサーパンツ型でもよい。
【図面の簡単な説明】
【００２５】
【図１】残尿処理袋の（ａ）は全体斜視図、（ｂ）は（ａ）の横断面図、（ｃ）は（ｂ）の部分拡大図
【図２】残尿処理袋を取り付けた男性用パンツの、（ａ）は一部切り欠き正面図、（ｂ）は出入口を開いた正面図
【図３】残尿処理袋を取り付けた男性用パンツの一部切り欠き背面図
【図４】（ａ）は男性器を残尿処理袋に収納した状態における図２（ａ）のＡ−Ａ断面図、（ｂ）は図２（ａ）のＢ−Ｂ断面図、（ｃ）は男性器を残尿処理袋から出し排尿した状態を示す図２（ａ）のＢ−Ｂ断面図
【符号の説明】
【００２６】
１０  残尿処理袋
１１  一方シート体
１１ａ  粘着部
１２  他方シート体
１２ａ  粘着延出部
１３  開口
１３ａ  ギャザー部
２０  男性用パンツ
２１  裏布
２１ａ  ボタン
２２  表布
２３  男性器の出入口
Ｌ１  吸収シート
Ｌ２  不織布
Ｌ３  防水フィルム
Ｐ  男性器
【図１】
0003136835.tif 000003
【図２】
0003136835.tif 000004
【図３】
0003136835.tif 000005
【図４】
0003136835.tif 000006